【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
消火液を噴射するノズルを有する消火ホースと、
前記消火ホースに連結され、前記消火液を前記消火ホースに供給する消火液供給源と、
前記ノズルに連結されるトップドローンと、
前記トップドローンに連結される有線ケーブルと、
前記トップドローンを飛行させる動力または燃料を、前記有線ケーブルを介して供給する動力供給装置と、を備えることを特徴とする消火システム。
【請求項２】
前記動力供給装置は、前記トップドローンに電力を供給する電源を含み、
前記トップドローンは、前記電力により回転する回転翼またはロータを有することを特徴とする請求項１に記載の消火システム。
【請求項３】
前記動力供給装置は、前記トップドローンに燃料を供給するポンプ装置を含み、
前記トップドローンは、前記燃料を燃焼させることにより回転翼またはロータを回転させる内燃機関を有することを特徴とする請求項１に記載の消火システム。
【請求項４】
前記動力供給装置は、前記トップドローンにジェット燃料を供給するポンプ装置を含み、
前記トップドローンは、前記ジェット燃料を燃焼させることにより推力を得るジェットエンジンを有することを特徴とする請求項１に記載の消火システム。
【請求項５】
前記動力供給装置は、前記トップドローンに気体燃料および気体酸化剤を供給するポンプ装置を含み、
前記トップドローンは、前記気体燃料および前記気体酸化剤の混合燃料を燃焼させることにより推力を得る気体ロケットエンジンを有することを特徴とする請求項１に記載の消火システム。
【請求項６】
前記動力供給装置は、前記トップドローンに固体燃料を供給するポンプ装置を含み、
前記トップドローンは、前記固体燃料を燃焼させることにより推力を得る固体ロケットエンジンを有することを特徴とする請求項１に記載の消火システム。
【請求項７】
前記動力供給装置は、前記トップドローンに加圧流体を供給するポンプ装置またはコンプレッサを含み、
前記トップドローンは、前記加圧流体を噴射することにより推力を得る噴射ノズルを有することを特徴とする請求項１に記載の消火システム。
【請求項８】
前記消火ホースの途中に連結される少なくとも１つの中継ドローンと、
前記中継ドローンに連結される中継ケーブルと、をさらに備え、
前記トップドローンと前記中継ドローンは、前記有線ケーブルおよび前記中継ケーブルによって直列に連結されており、
前記トップドローンおよび前記中継ドローンを飛行させる動力または燃料は、前記有線ケーブルおよび前記中継ケーブルを介して前記動力供給装置から供給されることを特徴とする請求項１乃至７のいずれか一項に記載の消火システム。
【請求項９】
前記消火ホースの途中に配置された昇圧ポンプをさらに備え、
前記中継ドローンは、前記昇圧ポンプに連結されることを特徴とする請求項８に記載の消火システム。
【請求項１０】
前記消火ホースの姿勢を調整するために、前記消火ホースに連結される少なくとも１つの補助ドローンと、
前記補助ドローンに連結される補助有線ケーブルと、をさらに備え、
前記トップドローンと前記補助ドローンは、前記補助有線ケーブルによって直列に連結されており、
前記補助ドローンを飛行させる動力または燃料は、前記有線ケーブルおよび前記補助連結ケーブルを介して前記動力供給装置から供給されることを特徴とする請求項１乃至９のいずれか一項に記載の消火システム。
【請求項１１】
前記ノズルは、第１枝管、第２枝管、および第３枝管を有するＴ字形状を有し、
前記第１枝管と前記第２枝管は、前記第３枝管から分岐して互いに逆向きに延びており、
前記消火液は、前記第３枝管に流入して、前記第１枝管および前記第２枝管から噴射されることを特徴とする請求項１乃至９のいずれか一項に記載の消火システム。
【請求項１２】
前記トップドローンは、アンカーを射出するための射出装置を備えることを特徴とする請求項１乃至９のいずれか一項に記載の消火システム。
【請求項１３】
前記トップドローンには、太陽電池パネルが配置されており、
前記太陽電池パネルは、前記射出装置を駆動するための電力の少なくとも一部を該射出装置に供給することを特徴とする請求項１２に記載の消火システム。
【請求項１４】
前記トップドローンは、係合フックを備えており、
前記係合フックは、棒状部材に係合可能な爪を有していることを特徴とする請求項１乃至９のいずれか一項に記載の消火システム。
【請求項１５】
前記消火液供給源は、建物に設置された給水システムであり、
前記給水システムは、少なくとも１つのポンプと、該ポンプから延びる給水管とを有しており、
前記消火ホースは、その末端に、前記給水システムに連結可能なアタッチメント部材を有していることを特徴とする請求項８に記載の消火システム。
【請求項１６】
前記アタッチメント部材を、前記給水システムに連結するための連結管または連結ホースをさらに備えることを特徴とする請求項１５に記載の消火システム。
【請求項１７】
前記アタッチメント部材は、該アタッチメント部材を前記給水システムの分岐管に設けられた給水側コネクタに連結するためのホース側コネクタを有しており、
前記アタッチメント部材には、前記ホース側コネクタの水平姿勢を維持するためのカウンタウェイトが取り付けられていることを特徴とする請求項１５または１６に記載の消火システム。
【請求項１８】
前記アタッチメント部材は、その内部に形成された流路を開閉するための開閉弁を有していることを特徴とする請求項１５乃至１７のいずれか一項に記載の消火システム。
【請求項１９】
前記アタッチメント部材は、第１枝部、第２枝部、および第３枝部からなるＴ字形状を有しており、
前記第１枝部と前記第２枝部は、前記消火ホースが連結される前記第３枝部から分岐して互いに逆向きに延びており、
前記第１枝部と前記第２枝部には、それぞれ、開閉弁が配置されていることを特徴とする請求項１５または１６に記載の消火システム。
【請求項２０】
前記アタッチメント部材は、推力発生機構を備えたドローンとして構成されることを特徴とする請求項１５乃至１９に記載の消火システム。
【請求項２１】
前記アタッチメント部材は、前記中継ドローンに連結されることを特徴とする請求項１５に記載の消火システム。
【手続補正２】
【補正対象書類名】明細書
【補正対象項目名】００１１
【補正方法】変更
【補正の内容】
【００１１】
本発明の好ましい態様は、前記消火ホースの途中に連結される少なくとも１つの中継ドローンと、前記中継ドローンに連結される中継ケーブルと、をさらに備え、前記トップドローンと前記中継ドローンは、前記有線ケーブルおよび前記中継ケーブルによって直列に連結されており、前記トップドローンおよび前記中継ドローンを飛行させる動力または燃料は、前記有線ケーブルおよび前記中継ケーブルを介して前記動力供給装置から供給されることを特徴とする。
本発明の好ましい態様は、前記消火ホースの途中に配置された昇圧ポンプをさらに備え、前記中継ドローンは、前記昇圧ポンプに連結されることを特徴とする。
本発明の好ましい態様は、前記消火ホースの姿勢を調整するために、前記消火ホースに連結される少なくとも１つの補助ドローンと、前記補助ドローンに連結される補助有線ケーブルと、をさらに備え、前記トップドローンと前記補助ドローンは、前記補助有線ケーブルによって直列に連結されており、前記補助ドローンを飛行させる動力または燃料は、前記有線ケーブルおよび前記補助連結ケーブルを介して前記動力供給装置から供給されることを特徴とする。
本発明の好ましい態様は、前記ノズルは、第１枝管、第２枝管、および第３枝管を有するＴ字形状を有し、前記第１枝管と前記第２枝管は、前記第３枝管から分岐して互いに逆向きに延びており、前記消火液は、前記第３枝管に流入して、前記第１枝管および前記第２枝管から噴射されることを特徴とする。
【手続補正３】
【補正対象書類名】明細書
【補正対象項目名】００１４
【補正方法】変更
【補正の内容】
【００１４】
本発明の好ましい態様は、前記アタッチメント部材は、その内部に形成された流路を開閉するための開閉弁を有していることを特徴とする。
本発明の好ましい態様は、前記アタッチメント部材は、第１枝部、第２枝部、および第３枝部からなるＴ字形状を有しており、前記第１枝部と前記第２枝部は、前記消火ホースが連結される前記第３枝部から分岐して互いに逆向きに延びており、前記第１枝部と前記第２枝部には、それぞれ、開閉弁が配置されていることを特徴とする。
本発明の好ましい態様は、前記アタッチメント部材は、推力発生機構を備えたドローンとして構成されることを特徴とする。
本発明の好ましい態様は、前記アタッチメント部材は、前記中継ドローンに連結されることを特徴とする。